(57)【要約】【課題】戸体の閉動作において戸体が戸当たり部に衝突した際の衝突力をより多く吸収でき、衝突音を低く小さくでき、かつ、パッキン部の変形により美観が損なわれるおそれのない戸当たり装置を提供する。【解決手段】パッキン部２０は、戸当たり部１１が縦枠３１に固定された状態における横断面視において、戸当たり部１１の戸体側側面１１ａの開口部３寄りの部位から、縦枠３１に近づくように斜め方向に突出しており、かつ、突出基端部１１の開口部３側の面が縦枠３１の面に略平行となっている。【選択図】図１
2018141273.tif 000002
【特許請求の範囲】
【請求項１】
開口部に面した縦枠の長手方向に沿って該開口部側に突出するように固定される戸当たり部と、前記戸当たり部の長手方向に沿った中空形状とされ、前記戸当たり部に一体に形成された、弾性を有したパッキン部とをすくなくとも有した戸当たり装置において、
前記パッキン部は、前記戸当たり部が前記縦枠に固定された状態における横断面視において、前記戸当たり部の戸体側側面の前記開口部寄りの部位から、前記縦枠に近づくように斜め方向に突出しており、かつ、突出基端部の前記開口部側の面が前記縦枠の面に略平行となっていることを特徴とする戸当たり装置。
【請求項２】
請求項１に記載された戸当たり装置を取りつけた縦枠を備えた開口枠材。
【発明の詳細な説明】
【技術分野】
【０００１】
戸体の接触時の衝撃を吸収するパッキン部を有した戸当たり装置およびそれを備えた開口枠材に関する。
【背景技術】
【０００２】
従来には、硬質樹脂材よりなる戸当たり部の戸体側側面に、閉止しようとする戸体が直接接触しないように、衝撃吸収用に戸当たり部の戸体側側面にパッキン部を設けた戸当たり装置が種々提案されている（たとえば、特許文献１参照）。
【０００３】
特許文献１のものは、戸当たり部と戸体との間に側方に凸湾曲した板状片よりなるパッキン部を有しているため、戸体は閉動作の際に戸当たり部に直接的に衝突せず、介在されたパッキン部により衝撃が吸収され、衝撃が緩和され、それにともない衝突音も低い音質の音となり緩和される。
【先行技術文献】
【特許文献】
【０００４】
【特許文献１】特許第２５００２７８号公報
【発明の概要】
【発明が解決しようとする課題】
【０００５】
しかしながら、特許文献１のものはパッキン部が板状片により形成されているため、戸当たり部のわずかな突出寸法に合うようなものでは、大きなクッション性を持たせることに限界がある。なお、中空の円筒状とすることも想定できるが、大きく膨らんでいれば戸体がパッキン部に衝突した際に変形した一部が開口部側にはみ出て美観が損なわれるおそれがある。
【０００６】
本発明は、このような事情を考慮して提案されたものである。その目的は、戸体の閉動作において戸体が戸当たり部に衝突した際の衝突力をより多く吸収でき、衝突音を低く小さくでき、かつ、パッキン部の変形により美観が損なわれるおそれのない戸当たり装置を提供することにある。また、この戸当たり装置を有した開口枠材を提供することも目的とされる。
【課題を解決するための手段】
【０００７】
上記目的を達成するために、本発明の戸当たり装置は、開口部に面した縦枠の長手方向に沿って開口部側に突出するように固定される戸当たり部と、戸当たり部の長手方向に沿った中空形状とされ、戸当たり部に一体に形成された、弾性を有したパッキン部とをすくなくとも有した戸当たり装置において、パッキン部は、戸当たり部が縦枠に固定された状態における横断面視において、戸当たり部の戸体側側面の開口部寄りの部位から、縦枠に近づくように斜め方向に突出しており、かつ、突出基端部の開口部側の面が縦枠の面に略平行となっていることを特徴とする。
【０００８】
また、本発明の開口枠材は、上記の戸当たり装置を取りつけた縦枠を備えたことを特徴とする。
【発明の効果】
【０００９】
本発明の戸当たり装置によれば、上述した構成となっているため、戸体の閉動作において戸体が戸当たり部に衝突した際の衝突力をより多く吸収でき、かつ衝突音を低く小さくすることができる。また、上述した構成となっているため、戸体が閉止しようとするときのパッキン部の変形により美観が損なわれるおそれはない。
【００１０】
また、本発明の開口枠材によれば、上述した構成となっているため、戸体の閉動作において戸当たり部に衝突した際の衝突力をより多く吸収でき、衝突音を低く小さくすることができる。また、上述した構成となっているため、戸体が閉止しようとするときのパッキン部の変形により美観が損なわれるおそれはない。
【図面の簡単な説明】
【００１１】
【図１】本発明の一実施形態に係る戸当たり装置の横断面図および要部拡大横断面図である。
【図２】（ａ）（ｂ）は、同戸当たり装置のパッキン部の動作を説明するための横断面図ある。
【図３】（ａ）は同戸当たり装置を有した開口枠材の取りつけ状態を示す正面図、（ｂ）は（ａ）におけるＡ−Ａ線拡大断面図である。
【発明を実施するための形態】
【００１２】
以下に、本発明の実施の形態について、添付資料を参照しながら説明する。まず、本戸当たり装置１の基本構成について記載する。
【００１３】
本戸当たり装置１は、図１に示すように、戸当たり部１１とパッキン部２０とをすくなくとも有した装置である。戸当たり部１１は、開口部３に面した縦枠３１の長手方向に沿って開口部３側に突出するように固定される部位である。パッキン部２０は、戸当たり部１１の長手方向に沿った中空形状とされ、戸当たり部１１に一体に形成された、弾性を有した部位である。
【００１４】
またパッキン部２０は、戸当たり部１１が縦枠３１に固定された状態における横断面視において、戸当たり部１１の戸体側側面１１ａの開口部３寄りの部位から、縦枠３１に近づくように斜め方向に突出している。さらにパッキン部２０は、突出基端部２１の開口部３側の面が縦枠３１の面に略平行となっている。
【００１５】
ついで、この戸当たり装置１の詳細構成および作用効果について、図１〜図３をもとに説明する。なお、以下の実施形態の説明における上下方向等の方向は、戸当たり装置１が縦枠３１に取りつけされた状態を基準としている。
【００１６】
この戸当たり装置１は、図３（ａ）（ｂ）に示すように、開き戸用の戸体５が取りつけられる、開口部３に設けられる装置である。この開口部３の開口縁には開口枠材３０が取り付けられている。開口枠材３０は、見付方向の両側の縦枠３１、３１と、上枠３２と、戸当たり装置１とを備えている。
【００１７】
戸当たり装置１は、すくなくとも戸先５ａ側の縦枠３１に取りつけられればよい。また、図３（ａ）に示すように、戸尻５ｂ側（ヒンジ７側）の縦枠３１および上枠３２には他の戸当たり装置１Ａが取りつけられている。いずれの戸当たり装置１、１Ａも戸当たり部１１が開口部３側に突出するように、各枠に形成された嵌合溝３１ａに取りつけされる。以下では、戸先５ａ側の縦枠３１に取りつけられる戸当たり装置１について説明する。
【００１８】
戸当たり装置１は、図１に示すように、断面角形状の戸当たり本体１０と、断面卵形状のパッキン部２０とを有してなる。戸当たり本体１０は、中空の筒状体とされ、その筒状体の外郭は硬質樹脂材で形成されており、縦枠３１に固定するための嵌合部１３と、その嵌合部１３の幅方向の両端よりもやや突出してなる戸当たり部１１とを備えている。戸当たり本体１０の内部空間１５は、嵌合部１３、戸当たり部１１間で連通している。
【００１９】
嵌合部１３は、縦枠３１の嵌合溝３１ａに嵌合する部位であり、幅方向の略中央に、嵌合部１３を幅方向に伸縮させるための、内部空間１５側に山形状に突出した伸縮部１３ｃを有しており、その伸縮部１３ｃから幅方向の両側に延びてなる略Ｌ字状の当接部１３ａを有している。
【００２０】
嵌合部１３が縦枠３１の嵌合溝３１ａに嵌まり込めば、当接部１３ａが嵌合溝３１ａの溝底面３１ｂおよび両溝壁面３１ｃに当接する。特に、当接部１３ａの側面部は伸縮部１３ｃの作用により弾発的に溝壁面３１ｃに当接する。この側面部には、これらの長手方向に延びる抜け防止用の係止爪１３ｂが形成されている。
【００２１】
戸当たり部１１は、横断面が方形状とされ、嵌合部１３が上記のように適正に縦枠３１の嵌合溝３１ａに嵌合すれば、嵌合部１３よりも側方に飛び出た段部１１ｂの外面が縦枠３１の表面に当接するように隙間なく配され、開口部３側に突出した状態となる。そして縦枠３１の面に略垂直な一方の側面が、閉止した戸体５の面と略平行に近接した状態になる。この戸当たり部１１の幅寸法（取りつけされた状態の見込み方向寸法）は、たとえば２０〜２５ｍｍ程度とされる。また、戸当たり部１１の取りつけされた状態における見込み方向寸法（縦枠３１の面からの突出寸法）は、たとえば１０〜１４ｍｍ程度、好ましくは１１〜１３ｍｍ程度とされる。
【００２２】
戸当たり本体１０は、図１に示したような形状に限られず、縦枠３１に対する嵌合部１３の嵌合構造も上記のものには限られず、すくなくとも戸当たり部１１が開口部３側に突出し、一方の側面が閉止した戸体５と相対するように取りつけられるものであればよい。
【００２３】
パッキン部２０は、この戸当たり部１１の一方の側面（戸体側側面１１ａ）に一体に形成された変形自在な筒状体である。パッキン部２０は、その外郭が軟質樹脂材で形成されたループ状（袋状）の長尺物であり、外郭材の一端および他端は戸当たり部１１の戸体側側面１１ａに固着されて戸当たり部１１と一体化されている。たとえば、パッキン部２０は戸当たり本体１０と硬軟２色成形されるように形成されればよい。また、戸当たり部１１の戸体側側面１１ａ以外の面には、縦枠３１の木目等の化粧シート（不図示）と同様の化粧シートが貼付されてもよい。
【００２４】
パッキン部２０は、横断面視における概略構成として、戸体側側面側の突出基端部２１と、自由端側の先端部２２と有し、全体として卵形状をなしている。
【００２５】
このパッキン部２０に外力が加わらない定常状態では、突出基端部２１は戸当たり部１１の戸体側側面１１ａの開口部３寄りの部位に配されている一方、先端部２２は縦枠３１に向けて斜め方向に突出するように配されている。その突出基端部２１の開口部３側の面には、始端部２４からおおむね真横方向に（縦枠３１の面に略平行に）延びた立ち上がり部２３が形成されている。なお、突出基端部２１の縦枠３１側の面、つまりループの終端部２５側の外側の面は、縦枠３１の面に対し略平行となっておらず、縦枠３１側に傾いている。
【００２６】
すなわち、本実施形態のものでは、パッキン部２０の開口部３側の面は、図１に示すように、立ち上がり部２３では縦枠３１の面に略平行な平面となっており、その立ち上がり部２３の終端から先端部２２の先端までが傾斜状の凸湾曲面となっている。また、縦枠３１側の面は、突出基端部２１と先端部２２との境界なく、先端部２２の先端から終端部２５まで連続した平面となっている。
【００２７】
このようにパッキン部２０は、定常状態では、開口部３側の面が斜め外方、つまり閉動作をなす戸体５のパネル面を向くように配されている。なお、突出基端部２１は戸体側側面１１ａの開口部３寄りに配されているが、すくなくとも突出基端部２１の（立ち上がり部２３の）始端部２４が開口部３寄りにあればよく、終端部２５は戸体側側面１１ａの中間部、あるいはやや縦枠３１寄りにあってもよい。
【００２８】
本実施形態では、パッキン部２０の定常状態における側方への突出寸法Ｌ１が５〜８ｍｍ程度、好ましくは５．５〜７ｍｍ程度、立ち上がり部の寸法Ｌ２が２〜４ｍｍ程度、好ましくは３〜４ｍｍ程度とされる。また、見込み方向寸法Ｌ３が６〜７．５ｍｍ程度、始端部２４・終端部２５間寸法Ｌ４が３．５〜６ｍｍ程度、好ましくは４〜５ｍｍ程度とされる。なお、外郭の厚みは約０．５ｍｍとされる。
【００２９】
このパッキン部２０は戸体５の閉動作による戸当たり部１１への衝突により、その形状が卵形状より扁平形状に変形する。図２（ａ）（ｂ）は、戸体５の閉止タイミングにおける形状の変化を説明するための横断面図である。
【００３０】
これらの図に示すように、パッキン部２０が戸体５の戸先５ａ面により押圧されると、突出基端部２１と先端部２２とよりなる全体の卵形状が変形して戸体側側面１１ａに略平行となるような扁平形状になる。そして、定常状態で開口部３側に向いた斜めの面は戸体５の面に密着した状態となる。このような外部形状の変形にともないパッキン部２０の内部空間２７も扁平空間となる。
【００３１】
ただし、この閉止時においても、パッキン部２０の立ち上がり部２３は縦枠３１に略平行な状態を保持する（図２（ｂ）参照）。このように、パッキン部２０の外形が変形しても立ち上がり部２３の形状が保持されるように、戸当たり装置１と戸体５との相対位置関係を設定することが望ましい。
【００３２】
以上のように、パッキン部２０は上記のような形状、配置となっているため、戸体５の閉動作における衝突緩和のクッション材として作用する。また、パッキン部２０の開口部３側の面が閉動作をなす戸体５のパネル面を向いているため、近づいてくる戸体５の面を広い範囲で柔らかく受け止めることができる。特に、パッキン部２０は中空であるため、衝突エネルギーが吸収され、戸当たり部１１へ伝わる衝突エネルギーを軽減することができる。その結果、戸体５の衝突による音は小さくなり、低く、重量感のある音質となる。このようにして耳障りな音の発生を極力少なくすることができる。特に、ハイドアに用いた場合などに上質感を演出することができる。
【００３３】
さらに、パッキン部２０の開口部３側の面は縦枠３１側に向かう直線的な傾斜面とはなっておらず、縦枠３１の面に略平行な立ち上がり部２３が形成されているため、パッキン部２０を側方に大きくでき、内部空間２７の容量を大きくすることができる。その結果、パッキン部２０のクッション効果（衝突力を吸収する効果）を高められる。また、立ち上がり部２３は開口部３側にも傾斜していないため、戸体５との接触によりパッキン部２０が開口部３側に変形してはみ出るおそれがなく、よって美観が損なわれることはない。
【００３４】
一方、パッキン部２０の縦枠３１側の面には、立ち上がり部２３がなく縦枠３１に向けて直線的に傾いているため、開口部３側の面に立ち上がり部２３が形成されているにもかかわらず、パッキン部２０、特に先端部２２を変形しやすくすることができる。
【００３５】
また、立ち上がり部２３を大きく変形させないように戸当たり装置１と戸体５を適正に配置することで、パッキン部２０が変形してもある程度厚みのある内部空間２７を残した状態とすることができる。その結果、その内部空間２７が戸当たり部１１への衝撃緩和に寄与することとなる。この場合、戸当たり部１１の戸体側側面１１ａと、戸体５との間には、立ち上がり部２３の寸法に応じた間隔が空くが、その間隔は立ち上がり部２３で塞がれ、かつパッキン部２０の外面が広く戸体５に密着するようになっているため、空気が通るような隙間ができるおそれはほとんどない。
【００３６】
また、立ち上がり部２３を大きく変形させないようにするために、パッキン部２０の他の部位に比べ厚く形成してもよいし、パッキン部２０の他の部位よりもやや硬めの軟質樹脂材で形成してもよい。
【００３７】
以上のように戸体５の閉止により扁平状態に変形したパッキン部２０は、弾性を有しているため、戸体５の開動作により元の状態の卵形状に復帰し定常状態（戸体待ち受け状態）となる。
【００３８】
また、上述したように、戸尻５ｂ側（ヒンジ７側）の縦枠３１と上枠３２には、パッキン部２０が設けられていない他の戸当たり装置１Ａが取りつけてあるが（図３参照）、戸先５ａ側の縦枠３１のものと同様の戸当たり装置１を取りつけるようにしてもよい。なお、他の戸当たり装置１Ａの戸当たり本体１０（戸当たり部１１）は、戸当たり装置１のものと同様の構造、形状とされ、その説明は割愛する。
【００３９】
以上の実施形態では、パッキン部２０は戸当たり本体１０の長手寸法に合致したものとされているが、これには限られない。たとえば、後付け、取り替えができるように、戸当たり本体１０の長手方向に対して部分的に短いものを配してもよいし、分断したものを不連続に配してもよい。
【符号の説明】
【００４０】
１          戸当たり装置
３          開口部
５          戸体
１１        戸当たり部
１１ａ      戸体側側面
１５        内部空間
２０        パッキン部
２１        突出基端部
２３        立ち上がり部
３０        開口枠材
３１        縦枠
【図１】
2018141273.tif 000003
【図２】
2018141273.tif 000004
【図３】
2018141273.tif 000005